(57)【要約】      （修正有）【課題】排水桝を床版に設置し、舗装層を敷設したとき、舗装厚により、舗装層の表面と排水桝の上端とが面一にならないことがあるという問題を解決する。【解決手段】壁部５ａ下方から上方にかけて複数の窓を開口した上桝部５と、壁部５ａ上方外側に突出した排水誘導片４と，高さ調整スペーサー７を形成した下桝部６とから排水装置を構成し、下桝部６に形成した高さ調整スペーサー７に上桝部５を載置する。【選択図】図１
2005248426.tif 000002
【特許請求の範囲】
【請求項１】
壁部下方から上方にかけて複数の排水窓を開口した上桝部と、壁部上方外側に突出した排水誘導片と上桝部の高さ調整スペーサーを形成した下桝部とを、下桝部に形成した高さ調整スペーサーに上桝部を載置してなる排水桝からなることを特徴とする道路構造物の排水装置。
【請求項２】
壁部下方から上方にかけて複数の排水窓を開口した上桝部と、壁部上方外側に突出した排水誘導片と上桝部の高さ調整スペーサーを形成した下桝部とを、上桝部を下桝部の高さ調整片に載置するとともに上桝部の壁部の下方を下桝部の壁部上方内側に嵌合してなる排水桝からなることを特徴とする道路構造物の排水装置。
【請求項３】
壁部下方から上方にかけて複数の排水窓を開口した上桝部と、壁部上方外側に突出した排水誘導片と上桝部の高さ調整スペーサーを形成するとともに上桝部が高さ調整スペーサーに載置されたときに上桝部の排水窓間壁部の位置にある上桝部移動ストッパーを形成した下桝部とからなり、上桝部と下桝部とは上桝部が下桝部の高さ調整スペーサーに載置され、上桝部の窓間壁部が下桝部の移動ストッパーの内側にある排水桝からなることを特徴とする道路構造物の排水装置。
【請求項４】
床版上面に敷かれた防水シートと舗装層間に地覆および／または伸縮継手に沿って排水マットを敷設するとともに、壁部下方から上方にかけて複数の排水窓を開口した上桝部と、上方外側に突出した排水誘導片とを上桝部の高さ調整スペーサーを形成した下桝部とを、上桝部を下桝部に形成した高さ調整スペーサーに載置して形成した排水桝
を排水マットから導水された水を流水可能に床版に設置してなることを特徴とする道路構造物の排水装置。
【発明の詳細な説明】
【技術分野】
【０００１】
本発明は、道路構造物の床版の天端を流れる雨水等の排水装置に関する。
【背景技術】
【０００２】
一般に、道路構造物に設置される排水装置としての排水桝は、特に道路の構造において、表層を透水性舗装とする場合、図１２に示すように、本体１、蓋２、排水管３とからなり、本体１にはその壁体１ａに排水用の小孔１ｅが形成され、蓋２には集水穴２ａが形成されている。
【０００３】
また、道路構造物は通常、同じく図１２に示すように床版１１の上に防水シート１２を敷設するとともに、その上に基層１３、表層１４が敷設してある。１ｃは落し口である。
【０００４】
透水性舗装を施した道路構造物の場合、排水桝の処理能力が十分でないと、床版上を流れる雨水等は、床版上に滞留したり、激しい降雨のときなどは、路面に溢水する。
【０００５】
そのため、交通への支障や舗装の損傷、床版への悪影響が生じる。また、冬場には、伸縮継手付近に滞留した水が凍結し、事故の原因ともなる。
【０００６】
これらの水を排水する対策としては、通常、伸縮継手や地覆に沿って専用の透水パイプや水抜き管を配置して排水桝に連結することが行われているが、排水桝の処理能力によっては、その効果も減殺される。
【０００７】
また、特許文献１に見られるような縁石と排水溝を兼ねた鋼製排水溝ユニットにおいて、水路部の道路側部の舗装層の位置に導水穴が開口され、導水管が接続されて、床版透水を導水管を経て流末管へ導くことによる排水方法も提案されているが、これは、鋼製の縁石兼排水溝という構造の中のものであり、これを用いない排水システムにおいては、利用することはできない。
【０００８】
そこで、先に、特許文献２に見られるような本体の壁体下方に沿って外側に突出した排水誘導片を形成し、かつ、排水誘導片を形成した壁体に排水誘導片の縁部から上方にかけて排水窓を形成した排水桝からなる道路構造物の排水装置が提案された。
【０００９】
この排水装置は、排水能力に優れた効果を見出すことができるが、いま一つ満足できないものがある。
【００１０】
一つは、この排水装置は、排水桝は使用に当っては、排水誘導片を床版表面に面一に設置したとき、上端部は、所定の舗装層の厚みにより必ずしも舗装層の表面と排水桝の上端とが面一にならないことも生じる。
【００１１】
もう一つは、舗装層を通して床版を流れる雨水等が上手に排水桝に導水されないとどのように排水能力の高い排水装置であってもその能力は十分に発揮されないという課題を有する。
【特許文献１】特公平６−３７７６２号公報
【特許文献２】特願２００３−３３７９２５明細書
【発明の開示】
【発明が解決しようとする課題】
【００１２】
本発明は、このような舗装層を所定の厚みに敷設したとき、排水桝の上端部が必ずしも舗装層の表面に面一にならないという課題を解決するとともに排水能力の高い排水装置を提供しようとするものである。
【課題を解決するための手段】
【００１３】
本発明は、上記の課題を解決するため、つぎの手段を提供する。
【００１４】
上記一つ目の課題を解決するため、基本的には、壁部下方から上方にかけて複数の窓を開口した上桝部と、壁部上方外側に突出した排水誘導片と上桝部の高さ調整スペーサーを形成した下桝部とからなり、下桝部に形成した高さ調整スペーサーに上桝部を載置した排水桝からなる道路構造物の排水装置を提供する。
【００１５】
詳しくは、壁部下方から上方にかけて複数の排水窓を開口した上桝部と、壁部上方外側に突出した排水誘導片と上桝部の高さ調整スペーサーを形成した下桝部とを、上桝部を下桝部の高さ調整片に載置するとともに上桝部の壁部の下方を下桝部の壁部上方内側に嵌合して上下動可能にしてなる排水桝からなる道路構造物の排水装置を提供する。
【００１６】
また、別に詳しくは、壁部から上方にかけて複数の排水窓を開口した上桝部と、壁部上方外側に突出した排水誘導片と上桝部の高さ調整スペーサーを形成するとともに上桝部が高さ調整装置スペーサーに載置されたときに上桝部の窓間壁部の位置にある上桝部移動ストッパーを形成した下桝部とからなり、上桝部と下桝部とは、上桝部が下桝部の高さ調整スペーサーに載置され、上桝部の窓間壁部が下桝部の移動ストッパーの内側にあって一体化してなる排水桝からなる道路構造物の排水装置を提供する。
【００１７】
上記もう一つの課題を解決するため、床版上面にしかれた防水シートと舗装層間に地覆および／または伸縮継手に沿って排水マットを敷設するとともに、壁体下方から上方にかけて複数の排水窓を開口した上桝部と、上方外側に突出した排水誘導片とを上桝部の高さ調整スペーサーを形成した下桝部とを、下桝部に形成した高さ調整スペーサーに載置して形成した排水桝を排水マットから導水された水を流入可能に床版に設置してなる構造物の排水装置を提供する。
【発明の効果】
【００１８】
本発明は、上述のようにしてなるので、つぎの効果を有する。
【００１９】
請求項１乃至請求項４において、下桝部の下方に突出して排水誘導片が形成されているので、排水桝の設置に当っては、この排水誘導片を床版に面一にして設置できるので、透水舗装層を通して床版上を流れる雨水等は、排水誘導片を経て、上桝部に形成され排水窓または上桝部と下桝部との隙間から排水される。
【００２０】
同じく請求項１乃至請求項４において、上桝部と下桝部とを別に形成し、上桝部を下桝部に形成した高さ調整スペーサーに載置する構成としたので、高さ調整スペーサーを調整することで上桝部の高さ調整が可能となるから異なる舗装層の厚みに対応することができる。
【００２１】
請求項２において、上桝部と下桝部とを上桝部の壁部の下方を下桝部の壁部上方に嵌合して一体化するので、上桝部の下桝部からのずれを防止できる。
【００２２】
請求項３において、上桝部の壁部を下桝部に形成した排水誘導片に形成した移動ストッパーの内側にあるようにしたので、請求項２同様に上桝部の下桝部からのずれを防止できる。また、移動ストッパーは、上桝部の窓間壁部相当に位置するので排水窓を塞がない。
【００２３】
請求項２において、床版面に敷かれた防水シートと舗装層間に地覆および／または伸縮継手に沿って排水マットを敷設したので、舗装層の一部が切り欠かれた状態で排水マットによる流水路が形成されたのと同じ状態となり、排水マットに流入した雨水等は、排水路へと導入される。
【発明を実施するための最良の形態】
【００２４】
本発明を実施するための最良の形態を以下の図面に基き説明する。
【実施例１】
【００２５】
図１は、道路構造物の排水装置を床版に設置した状態を切り欠いて示した分解斜視図、図２は、排水装置の平面図、図３は、図２のＡ−Ａ断面図、図４は側面図である。
【００２６】
この排水装置は、本体１、蓋２、排水管３とからなる鋼製の排水桝である。
【００２７】
本体１は、上桝部５と下桝部６とからなり、上桝部５と下桝部６は、その壁部５ａと６ａとが、壁部５ａの外面が壁部６ａの内面に密接して嵌合することのできる寸法にして、その壁部５ａと壁部６ａとが嵌合するようになっている。
【００２８】
上桝部５は、壁部５ａに、壁部５ａの高さの２分の１以上の長孔にして、かつ、上方が凸の弧状形をした排水窓５ｂが形成されてなる。排水窓５ｂは、大きな流量に備えるため大口であるとともに荷量に対応するため上方を弧状形とした。この実施例では、一方の壁部５ａは、道路側部に位置するので、排水窓５ｂは開口されず、必要に応じてその両側に突出壁５ｄを形成してなる。この突出壁５ｄは、床版上の雨水等の横漏れを防止する機能を有する。床版央部に設置するときは、一方の壁部５ａにも排水窓５ａを開口する。上桝部５の上端に形成してある蓋２の受け部は、公知の受け部と同様のものであるが、その裏側は、後述する上桝部５の高さ調整スペーサーの受け部となる。
【００２９】
下桝部６は、壁部６ａの上端に外側に突出して排水誘導片４が一体に形成されるとともにこの排水誘導片４と壁部６ａの厚みにまたがって内ねじが形成されて高さ調整スペーサー７としてのボルトが螺合されている。この実施例では、一方の壁部６ａは、道路側部に位置するので、排水誘導片４は形成されていない。央部に設置するときには、一方の壁部６ａにも排水誘導片４は形成される。下桝部６の下方は落し口６ｂが形成され排水管３が一体に連設されている。
【００３０】
このようにしてなる上桝部５と下桝部６とは、図１に示すように床版に設置される。
【００３１】
この橋梁の構造は、床版１１は、ＲＣ床版からなり、床版１１の上に防水シート１２を、防水シート１２の上に基層１３を、基層１３の上に透水層からなる表層１４によって形成されている。
【００３２】
この実施例において、まず、床版１１に下桝部６を壁部６ａの上端外側に突出して形成した排水誘導片４を床版１１上面とほぼ面一になるようにして設置し、上桝部５を下桝部６に上桝部５の壁部５ａを下桝部６の壁部６ａの内側にして嵌合するとともに上桝部５の蓋２の受け部を下桝部６に形成した高さ調整スペーサーの上に載置する。ついで、上桝部５を舗装層厚を考慮して高さ調整スペーサー７により高さ調整する。高さ調整は、下桝部６に上桝部５を載置する前に行っておいてもよい。その後、舗装層を基層１３、表層１４の順で敷設する。蓋２は、上桝部５に舗装層の敷設前、敷設後のいずれに載置してもよい。
【実施例２】
【００３３】
図５は、別の実施例を示す道路構造物の排水装置を切り欠いて示した分解斜視図、図６は、排水装置の断面図である。
【００３４】
この排水装置は、先の実施例と同様、本体１、蓋２、排水管３からなり、本体１は、上桝部５、下桝部６とからなる排水桝である。
【００３５】
上桝部５は、壁部５ａに、壁部５ａの高さの２分の１以上の長孔にして、かつ、上方が凸の弧状をした排水窓５ｂが形成されてなる。排水窓５ｂは、大きな流量に備えるため大口であるとともに荷重に対して対応するため上方を弧状とした。この実施例では、一方の壁部５ａは、道路側部に位置するので排水誘導片は形成されず、また排水窓５ｂは開口されず、必要に応じてその両側に突出壁５ｃを形成してなる。この突出壁５ｃは、床版上の雨水等の横漏れを防止する機能を有する。床版央部に設置するときは、一方の壁体５ａにも排水窓５ｂを開口する。
【００３６】
下桝部６は、壁部６ａの上端に外側に突出して排水誘導片４が一体に形成されるとともにこの排水誘導片４と壁部６ａの厚みにかけて内ねじが形成され、高さ調整スペーサー７としてのボルトが螺合されている。排水誘導片４には上桝部５が高さ調整スペーサー７に上桝部５の壁部５ａの下端を載置したときに上桝部５の排水窓間壁部５ｅの位置にある上桝部の移動ストッパー８を板体により取り付てある。この実施例では、一方の壁部６ａは道路側部に位置するので排水誘導片４は形成されていない。央部に設置するときは、一方の壁部６ａにも排水誘導片４は形成され、排水誘導片４に移動ストッパー８が取り付けられる。
【００３７】
このようにしてなる上桝部５と下桝部６とは図４に示すように床版に設置される。
【００３８】
この橋梁の構造は、床版１１はＲＣ床版からなり、床版１１のうえに防水シート１２を、防水シート１２の上に基層１３を、基層１３の上に透水層からなる表層１４によって形成されている。
【００３９】
この実施例において、まず床版に下桝部を壁部６ａの上端外側に突出して形成した排水誘導片４を床版１１上面になるようにして設置し、上桝部５を下桝部６に上桝部５の壁部５ａが下桝部６の排水誘導片４に取り付けられた移動ストッパー７の内側にある。上桝部５の壁部５ａの下端部が高さ調整スペーサー７に位置するようにして載置する。ついで、上桝部５を舗装厚を考慮して高さ調整スペーサー７により高さ調整する。高さ調整は、下桝部６に上桝部５を載置する前に行っておいてもよい。その後、舗装層を基層、表層の順で敷設する。蓋２は、上桝部５に舗装層の敷設前、敷設後のいずれに載置してもよい。
【実施例３】
【００４０】
図７は、上述した排水桝とこの排水桝に導水する排水マットを敷設した排水装置を説明する路面側からの斜視図、図８は、地覆沿い一般部の排水マットの敷設状態を示す橋軸方向部分断面図、図９は、実施例１または実施例２に示した排水桝側面部の排水マットの敷設状態を示す橋軸方向部分断面図、図１０は、同排水桝正面部の排水マットの敷設状態を示す橋軸方向部分断面図、図１１は、伸縮継手部の排水マットの敷設状態を示す橋軸直角方向部分断面図である。
【００４１】
床版１１はＲＣ床版からなり、遊間１１ｂをはさんで対向する床版１１、１１端部裏込部１５ａに伸縮継手１５が、端部地覆沿いに床版排水機能を備えた排水桝１６が設置されている。
【００４２】
床版１１の上面には、図８乃至図１１に示すように、防水シート１２が敷設されて、防水シート１２の上に床版１１の地覆１１ａ及び伸縮継手１５の両側に沿って排水マット１７が舗装層の基層厚さ相当分敷設されている。排水マット１７は、接着剤等により固定しておくとよい。排水マット１７の敷設は、地覆１１ａの一般部ではそのまま直線的に沿って、床版１１の端部地覆沿い排水桝１６が設置されている場所では、地覆部１１ａに直接沿うことなく、排水桝１６の正面及び側面を囲むようにして敷設する。
【００４３】
排水マットは、図１２に示すような熱可塑性のモノフィラメントを捲縮したヘチマ状の構造体が好ましい。このモノフィラメントはポリエステル、ポリエチレン、ポリプロピレン等を材料とするものがある。中でもアスファルト敷設時の耐圧性、耐熱性を考慮すると軟化点、溶融点が比較的高いポリエステルが特に良い。
【００４４】
このヘチマ状の構造体は、構成するモノフィラメントの粗密を調整することにより、排水機能に応じた所定の密度に調整することが可能である。また、ヘチマ状の構造体の外周面には、外周面にフィルター１７ａが取り付けられてアスファルトの流入を防止する。メッシュ状、パンチング状の形態である。材質はプラスチックス、繊維、金属等特定するものではない。
【００４５】
本発明ではポリエステル繊維のメッシュ状で１ｍｍ目合いのものを使用した。
【００４６】
排水マット１７の敷設後はアスファルト等により舗装する。舗装は排水マット１７の敷設個所を除いて防水シート１２上に基層１３を敷設し、基層１３の敷設後、基層１３及び排水マット１７上に表層を敷設することにより行う。
【００４７】
このように構成することで、床版上を流れる雨水等は、図１に示すように矢印方向に移動し、排水マットへと流入する。排水マットはあたかも舗装層が切り欠かれて形成された溝に位置すると同時に流水路となって、雨水等を床版端部に設置した床版排水機能を備えた排水桝へと導水する。排水マットは防水シートの平面上に幅広に敷設できるので、大きな流量の受け入れが可能となる。
【００４８】
なお、床版上の雨水等が図６に示す矢印方向に流れるのは、床版は通常縦断勾配および／または横断勾配をつけて形成されていることによる。
【００４９】
本発明は、上述のようにしてなるので先に述べた効果を有する。
【図面の簡単な説明】
【００５０】
【図１】本発明の実施例に係る道路構造物の排水装置を床版に設置した状態を切り欠いて示した分解斜視図である。
【図２】排水装置の平面図である。
【図３】図２のＡ−Ａ断面図である。
【図４】排水装置の側面図である。
【図５】本発明の別の実施例に係る道路構造物の排水装置を床版に設置した状態を切り欠いて示した分解斜視図である。
【図６】排水装置の断面図である。
【図７】本発明の排水桝と排水マットを敷設した排水装置の実施の形態を示す橋梁の路面側からの斜視図である。
【図８】図７における地覆沿い一般部の排水マットの敷設状態を示す橋軸方向部分断面図である。
【図９】図７における排水桝側面部の排水マットの敷設状態を示す橋軸方向部分断面図である。
【図１０】図７における排水桝正面部の排水マットの敷設状態を示す橋軸方向部分断面図である。
【図１１】図７の伸縮継手部の排水マットの敷設状態を示す橋軸直角方向部分断面図である。
【図１２】排水マットの断面図である。
【図１３】排水桝の従来例を示す分解斜視図である。
【符号の説明】
【００５１】
１    本体
２    蓋
３    排水管
４    排水誘導片
５    上桝部              ５ａ  壁部              ５ｂ  排出窓
５ｃ  突出壁              ５ｄ  突出壁            ５ｅ  窓間壁部
６    下桝部              ６ａ  壁部              ６ｂ  落し口
７    高さ調整スペーサー
８    移動ストッパー
１１  床版                １１ａ  地覆
１２  防水シート
１３  基層
１４  表層
１５  伸縮継手            １５ａ  伸縮継手裏込部
１６  排水桝
１７  排水マット          １７ａ  フィルター
【図１】
2005248426.tif 000003
【図２】
2005248426.tif 000004
【図３】
2005248426.tif 000005
【図４】
2005248426.tif 000006
【図５】
2005248426.tif 000007
【図６】
2005248426.tif 000008
【図７】
2005248426.tif 000009
【図８】
2005248426.tif 000010
【図９】
2005248426.tif 000011
【図１０】
2005248426.tif 000012
【図１１】
2005248426.tif 000013
【図１２】
2005248426.tif 000014
【図１３】
2005248426.tif 000015